【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
測位測定値について地上ネットワークをスキャンするための方法であって、
時間整合されるように、ワイヤレスワイドエリアネットワーク（ＷＷＡＮ）ベースの測位測定値についてのモバイルデバイスによるスキャンおよびローカルエリアワイヤレスネットワークベースの測位測定値についてのスキャンを同期させることと、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、ここにおいて、前記ＷＷＡＮは、ローカルエリアワイヤレスネットワークのうちのいずれも衛星ネットワークも含まない、
前記ＷＷＡＮベースの測位測定値について前記モバイルデバイスを用いてスキャンすることと、
前記ローカルエリアワイヤレスネットワークベースの測位測定値について前記モバイルデバイスを用いてスキャンすることと、
時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用することと
を備える、方法。
【請求項２】
スキャンを同期させることは、前記ＷＷＡＮベースの測位測定値についての前記スキャンおよび前記ローカルエリアワイヤレスネットワークベースの測位測定値についての前記スキャンを、互いの１００μｓ以内に生じるように、ハードウェアスケジューリングすることを備える、請求項１に記載の方法。
【請求項３】
前記ＷＷＡＮベースの測位測定値のためのスキャン周期は、前記ローカルエリアワイヤレスネットワークベースの測位測定値のためのスキャン周期と同じ間隔を有し、前記ハードウェアスケジューリングは、前記ＷＷＡＮベースの測位測定値および前記ローカルエリアワイヤレスネットワークベースの測位測定値を時間整合することを備える、請求項２に記載の方法。
【請求項４】
前記ＷＷＡＮベースの測位測定値のためのスキャン周期は、前記ローカルエリアワイヤレスネットワークベースの測位測定値のためのスキャン周期とは異なる間隔を有し、前記ハードウェアスケジューリングは、前記ＷＷＡＮベースの測位測定値のための前記スキャン周期および前記ローカルエリアワイヤレスネットワークベースの測位測定値のための前記スキャン周期を時間整合することを備え、時間整合された最小の共通間隔からのスキャンからの前記ＷＷＡＮベースの測位測定値および前記ローカルエリアワイヤレスネットワークベースの測位測定値のみが、クラウドソーシングのために使用されるか、または前記モバイルデバイスについての前記位置フィックスを決定するために共に使用される、請求項２に記載の方法。
【請求項５】
前記ＷＷＡＮベースの測位測定値および前記ローカルエリアワイヤレスネットワークベースの測位測定値のうちの１つは、スキャン周期を有し、前記ＷＷＡＮベースの測位測定値および前記ローカルエリアワイヤレスネットワークベースの測位測定値のうちの残りの１つは、スキャン周期を有さず、前記ハードウェアスケジューリングは、前記スキャン周期に基づいて、前記ＷＷＡＮベースの測位測定値および前記ローカルエリアワイヤレスネットワークベースの測位測定値のうちの前記残りの１つをタイムトリガすることを備える、請求項２に記載の方法。
【請求項６】
スキャンを同期させることは、
前記ＷＷＡＮベースの測位測定値について前記モバイルデバイスを用いて前記スキャンする第１の時間と、前記ローカルエリアワイヤレスネットワークベースの測位測定値について前記モバイルデバイスを用いて前記スキャンする第２の時間との間の時間差を決定することと、
前記時間差を時間差しきい値と比較することと、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用することと
を備える、請求項１に記載の方法。
【請求項７】
前記モバイルデバイスの速度を決定することと、
前記モバイルデバイスの前記速度に基づいて前記時間差しきい値を変更することと
をさらに備える、請求項６に記載の方法。
【請求項８】
スキャンを同期させることは、前記モバイルデバイス内のプロセッサがスリープモードからウェイクアップした後に時間整合されて生じるようにＷＷＡＮベースの測位測定値についての前記モバイルデバイスによるスキャンおよびローカルエリアワイヤレスネットワークベースの測位測定値についてのスキャンをスケジューリングすることを備える、請求項１に記載の方法。
【請求項９】
前記ＷＷＡＮベースの測位測定値は、１つまたは複数のセルラ基地局からの到達時間、到達時間差、または受信信号強度インジケータ（ＲＳＳＩ）測定値のうちの少なくとも１つであり、前記ローカルエリアワイヤレスネットワークベースの測位測定値は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）のうちの１つまたは複数からのＲＳＳＩおよびラウンドトリップ時間（ＲＴＴ）のうちの少なくとも１つである、請求項１に記載の方法。
【請求項１０】
時間整合された前記ＷＷＡＮベースの測位測定値および前記ローカルエリアワイヤレスネットワークベースの測位測定値をクラウドソーシングのために使用することは、
時間整合された前記ＷＷＡＮベースの測位測定値および前記ローカルエリアワイヤレスネットワークベースの測位測定値を、関連付けられた位置フィックスと共に、または関連付けられた位置フィックスなしにクラウドソーシングサーバに送信すること
を備える、請求項１に記載の方法。
【請求項１１】
時間整合された前記ＷＷＡＮベースの測位測定値および前記ローカルエリアワイヤレスネットワークベースの測位測定値をクラウドソーシングのために使用することは、
前記ＷＷＡＮベースの測位測定値を用いて前記モバイルデバイスについての位置フィックスを取得することと、
前記ローカルエリアワイヤレスネットワークベースの測位測定値に前記位置フィックスを割り当てることと
を備える、請求項１に記載の方法。
【請求項１２】
測位測定値について地上ネットワークをスキャンするためのモバイルデバイスであって、
時間整合されるように、ワイヤレスワイドエリアネットワーク（ＷＷＡＮ）ベースの測位測定値についての前記モバイルデバイスによるスキャンおよびローカルエリアワイヤレスネットワークベースの測位測定値についてのスキャンを同期させるための手段と、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、ここにおいて、前記ＷＷＡＮは、ローカルエリアワイヤレスネットワークのうちのいずれも衛星ネットワークも含まない、
前記ＷＷＡＮベースの測位測定値について前記モバイルデバイスを用いてスキャンするための手段と、
前記ローカルエリアワイヤレスネットワークベースの測位測定値について前記モバイルデバイスを用いてスキャンするための手段と、
時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用するための手段と
を備える、モバイルデバイス。
【請求項１３】
スキャンを同期させるための前記手段は、前記ＷＷＡＮベースの測位測定値についての前記スキャンおよび前記ローカルエリアワイヤレスネットワークベースの測位測定値についての前記スキャンを、互いの１００μｓ以内に生じるようにスケジューリングする、ハードウェアスケジューリング手段を備える、請求項１２に記載のモバイルデバイス。
【請求項１４】
スキャンを同期させるための前記手段は、
前記ＷＷＡＮベースの測位測定値について前記モバイルデバイスを用いて前記スキャンする第１の時間と、前記ローカルエリアワイヤレスネットワークベースの測位測定値について前記モバイルデバイスを用いて前記スキャンする第２の時間との間の時間差を決定するための手段と、
前記時間差を時間差しきい値と比較するための手段と、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用するための手段と
を備えるソフトウェアスケジューリング手段を備える、請求項１２に記載のモバイルデバイス。
【請求項１５】
測位測定値について地上ネットワークをスキャンするための非一時的なコンピュータ可読媒体であって、プロセッサにより実行されたとき、前記プロセッサに請求項１乃至１１のうちのいずれか１項に記載の方法を実行させる記憶したプログラムコードを含む、非一時的なコンピュータ可読媒体。
【手続補正２】
【補正対象書類名】明細書
【補正対象項目名】００７９
【補正方法】変更
【補正の内容】
【００７９】
[0093]  それゆえ、特許請求される主題が、開示された特定の例に限定されるものではなく、このような特許請求される主題が、添付の特許請求の範囲内にあるすべての態様およびその同等物もまた含み得ることが意図されている。
以下に本願の出願当初の特許請求の範囲に記載された発明を付記する。
［Ｃ１］
測位測定値について地上ネットワークをスキャンするための方法であって、
時間整合されるように、ワイヤレスワイドエリアネットワーク（ＷＷＡＮ）ベースの測位測定値についてのモバイルデバイスによるスキャンおよびローカルエリアワイヤレスネットワークベースの測位測定値についてのスキャンを同期させることと、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、
前記ＷＷＡＮベースの測位測定値について前記モバイルデバイスを用いてスキャンすることと、
前記ローカルエリアワイヤレスネットワークベースの測位測定値について前記モバイルデバイスを用いてスキャンすることと、
時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用することと
を備える、方法。
［Ｃ２］
スキャンを同期させることは、前記ＷＷＡＮベースの測位測定値についての前記スキャンおよび前記ローカルエリアワイヤレスネットワークベースの測位測定値についての前記スキャンを、互いの１００μｓ以内に生じるように、ハードウェアスケジューリングすることを備える、Ｃ１に記載の方法。
［Ｃ３］
前記ＷＷＡＮベースの測位測定値のためのスキャン周期は、前記ローカルエリアワイヤレスネットワークベースの測位測定値のためのスキャン周期と同じ間隔を有し、前記ハードウェアスケジューリングは、前記ＷＷＡＮベースの測位測定値および前記ローカルエリアワイヤレスネットワークベースの測位測定値を時間整合することを備える、Ｃ２に記載の方法。
［Ｃ４］
前記ＷＷＡＮベースの測位測定値のためのスキャン周期は、前記ローカルエリアワイヤレスネットワークベースの測位測定値のためのスキャン周期とは異なる間隔を有し、前記ハードウェアスケジューリングは、前記ＷＷＡＮベースの測位測定値のための前記スキャン周期および前記ローカルエリアワイヤレスネットワークベースの測位測定値のための前記スキャン周期を時間整合することを備え、時間整合された最小の共通間隔からのスキャンからの前記ＷＷＡＮベースの測位測定値および前記ローカルエリアワイヤレスネットワークベースの測位測定値のみが、クラウドソーシングのために使用されるか、または前記モバイルデバイスについての前記位置フィックスを決定するために共に使用される、Ｃ２に記載の方法。
［Ｃ５］
前記ＷＷＡＮベースの測位測定値および前記ローカルエリアワイヤレスネットワークベースの測位測定値のうちの１つは、スキャン周期を有し、前記ＷＷＡＮベースの測位測定値および前記ローカルエリアワイヤレスネットワークベースの測位測定値のうちの残りの１つは、スキャン周期を有さず、前記ハードウェアスケジューリングは、前記スキャン周期に基づいて、前記ＷＷＡＮベースの測位測定値および前記ローカルエリアワイヤレスネットワークベースの測位測定値のうちの前記残りの１つをタイムトリガすることを備える、Ｃ２に記載の方法。
［Ｃ６］
スキャンを同期させることは、
前記ＷＷＡＮベースの測位測定値について前記モバイルデバイスを用いて前記スキャンする第１の時間と、前記ローカルエリアワイヤレスネットワークベースの測位測定値について前記モバイルデバイスを用いて前記スキャンする第２の時間との間の時間差を決定することと、
前記時間差を時間差しきい値と比較することと、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用することと
を備える、Ｃ１に記載の方法。
［Ｃ７］
前記モバイルデバイスの速度を決定することと、
前記モバイルデバイスの前記速度に基づいて前記時間差しきい値を変更することと
をさらに備える、Ｃ６に記載の方法。
［Ｃ８］
スキャンを同期させることは、前記モバイルデバイス内のプロセッサがスリープモードからウェイクアップした後に時間整合されて生じるようにＷＷＡＮベースの測位測定値についての前記モバイルデバイスによるスキャンおよびローカルエリアワイヤレスネットワークベースの測位測定値についてのスキャンをスケジューリングすることを備える、Ｃ１に記載の方法。
［Ｃ９］
前記ＷＷＡＮベースの測位測定値は、１つまたは複数のセルラ基地局からの到達時間、到達時間差、または受信信号強度インジケータ（ＲＳＳＩ）測定値のうちの少なくとも１つであり、前記ローカルエリアワイヤレスネットワークベースの測位測定値は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）のうちの１つまたは複数からのＲＳＳＩおよびラウンドトリップ時間（ＲＴＴ）のうちの少なくとも１つである、Ｃ１に記載の方法。
［Ｃ１０］
時間整合された前記ＷＷＡＮベースの測位測定値および前記ローカルエリアワイヤレスネットワークベースの測位測定値をクラウドソーシングのために使用することは、
時間整合された前記ＷＷＡＮベースの測位測定値および前記ローカルエリアワイヤレスネットワークベースの測位測定値を、関連付けられた位置フィックスと共に、または関連付けられた位置フィックスなしにクラウドソーシングサーバに送信すること
を備える、Ｃ１に記載の方法。
［Ｃ１１］
時間整合された前記ＷＷＡＮベースの測位測定値および前記ローカルエリアワイヤレスネットワークベースの測位測定値をクラウドソーシングのために使用することは、
前記ＷＷＡＮベースの測位測定値を用いて前記モバイルデバイスについての位置フィックスを取得することと、
前記ローカルエリアワイヤレスネットワークベースの測位測定値に前記位置フィックスを割り当てることと
を備える、Ｃ１に記載の方法。
［Ｃ１２］
時間整合された前記ＷＷＡＮベースの測位測定値および前記ローカルエリアワイヤレスネットワークベースの測位測定値をクラウドソーシングのために使用することは、前記モバイルデバイスについての位置フィックスが前記ＷＷＡＮベースの測位測定値および前記ローカルエリアワイヤレスネットワークベースの測位測定値では可能でないときに、前記ＷＷＡＮベースの測位測定値および前記ローカルエリアワイヤレスネットワークベースの測位測定値を共に関連付けることを備える、Ｃ１に記載の方法。
［Ｃ１３］
前記ＷＷＡＮベースの測位測定値を使用して前記ローカルエリアワイヤレスネットワークベースの測位測定値に関連付けられた不確実性を抑制することをさらに備える、Ｃ１２に記載の方法。
［Ｃ１４］
時間整合された前記ＷＷＡＮベースの測位測定値および前記ローカルエリアワイヤレスネットワークベースの測位測定値をクラウドソーシングのために使用することは、
前記ローカルエリアワイヤレスネットワークベースの測位測定値を用いて前記モバイルデバイスについての位置フィックスを取得することと、
前記ＷＷＡＮベースの測位測定値に前記位置フィックスを割り当てることと
を備える、Ｃ１に記載の方法。
［Ｃ１５］
時間整合された前記ＷＷＡＮベースの測位測定値および前記ローカルエリアワイヤレスネットワークベースの測位測定値をクラウドソーシングのために使用することは、
ローカルエリアワイヤレスネットワークデータベースを使用して前記ローカルエリアワイヤレスネットワークベースの測位測定値を用いて、前記モバイルデバイスについての第１の位置フィックスを取得することと、
ＷＷＡＮデータベースを使用して前記ＷＷＡＮベースの測位測定値を用いて前記モバイルデバイスについての第２の位置フィックスを取得することと、
前記ローカルエリアワイヤレスネットワークデータベースおよび前記ＷＷＡＮデータベースを検証するために、前記第１の位置を前記第２の位置と比較することと
を備える、Ｃ１に記載の方法。
［Ｃ１６］
時間整合された前記ＷＷＡＮベースの測位測定値および前記ローカルエリアワイヤレスネットワークベースの測位測定値をクラウドソーシングのために使用することは、
ローカルエリアワイヤレスネットワークデータベースを使用して前記ローカルエリアワイヤレスネットワークベースの測位測定値を用いて前記モバイルデバイスについての第１の位置フィックスを取得することと、ここにおいて、前記モバイルデバイスについての第２の位置フィックスは、前記ＷＷＡＮベースの測位測定値およびＷＷＡＮデータベースでは可能でない、
前記ローカルエリアワイヤレスネットワークデータベースおよび前記ＷＷＡＮデータベースを検証するために、前記第１の位置および前記ＷＷＡＮベースの測位測定値を使用すること
を備える、Ｃ１に記載の方法。
［Ｃ１７］
測位測定値について地上ネットワークをスキャンするためのモバイルデバイスであって、
ワイヤレスワイドエリアネットワーク（ＷＷＡＮ）ベースの測位測定値についてスキャンするためのＷＷＡＮトランシーバと、
ローカルエリアワイヤレスネットワークベースの測位測定値についてスキャンするためのローカルエリアワイヤレスネットワークトランシーバと、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、
前記ＷＷＡＮトランシーバおよび前記ローカルエリアワイヤレスネットワークトランシーバに結合された少なくとも１つのプロセッサと
を備え、前記少なくとも１つのプロセッサは、時間整合するように、前記ＷＷＡＮベースの測位測定値についてのスキャンおよびローカルエリアワイヤレスネットワークベースの測位測定値についてのスキャンを同期させることと、時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用することとを行うように構成される、モバイルデバイス。
［Ｃ１８］
前記少なくとも１つのプロセッサは、ＷＷＡＮスキャンをスケジューリングするＷＷＡＮコントローラおよびローカルエリアワイヤレスネットワークスキャンをスケジューリングするローカルエリアワイヤレスネットワークコントローラに結合されたハードウェア共通スケジューラを備え、前記ハードウェア共通スケジューラは、前記ＷＷＡＮベースの測位測定値についての前記ＷＷＡＮスキャンおよび前記ローカルエリアワイヤレスネットワークベースの測位測定値についての前記ローカルエリアワイヤレスネットワークスキャンを、互いの１００μｓ以内に生じるようにスケジューリングする、Ｃ１７に記載のモバイルデバイス。
［Ｃ１９］
前記ＷＷＡＮスキャンのためのスキャン周期は、前記ローカルエリアワイヤレスネットワークスキャンのためのスキャン周期と同じ間隔を有し、前記ハードウェア共通スケジューラは、前記ＷＷＡＮスキャンおよび前記ローカルエリアワイヤレスネットワークスキャンを時間整合する、Ｃ１８に記載のモバイルデバイス。
［Ｃ２０］
前記ＷＷＡＮスキャンのためのスキャン周期は、前記ローカルエリアワイヤレスネットワークスキャンのためのスキャン周期とは異なる間隔を有し、前記ハードウェア共通スケジューラは、前記ＷＷＡＮスキャンおよび前記ローカルエリアワイヤレスネットワークスキャンを時間整合し、時間整合された最小の共通間隔を有する前記ＷＷＡＮスキャンからの前記ＷＷＡＮベースの測位測定値および前記ローカルエリアワイヤレスネットワークスキャンからの前記ローカルエリアワイヤレスネットワークベースの測位測定値のみが、クラウドソーシングのために使用されるか、または前記モバイルデバイスについての前記位置フィックスを決定するために共に使用される、Ｃ１８に記載のモバイルデバイス。
［Ｃ２１］
前記ＷＷＡＮスキャンはスキャン周期を有し、前記ローカルエリアワイヤレスネットワークスキャンはスキャン周期を有さず、前記ハードウェア共通スケジューラは、前記ＷＷＡＮスキャンに基づいて前記ローカルエリアワイヤレスネットワークスキャンをタイムトリガする、Ｃ１８に記載のモバイルデバイス。
［Ｃ２２］
前記少なくとも１つのプロセッサは、
前記ＷＷＡＮベースの測位測定値について前記スキャンする第１の時間と、前記ローカルエリアワイヤレスネットワークベースの測位測定値について前記スキャンする第２の時間との間の時間差を決定することと、
前記時間差を時間差しきい値と比較することと、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用することと
を行うように構成されることによってスキャンを同期させるように構成される、Ｃ１７に記載のモバイルデバイス。
［Ｃ２３］
前記時間差しきい値は、前記モバイルデバイスの速度に基づいて可変である、Ｃ２２に記載のモバイルデバイス。
［Ｃ２４］
前記少なくとも１つのプロセッサは、前記少なくとも１つのプロセッサがスリープモードからウェイクアップした後に時間整合されて生じるようにＷＷＡＮスキャンおよびローカルエリアワイヤレスネットワークスキャンをスケジューリングするように構成されることによってスキャンを同期させるように構成される、Ｃ１７に記載のモバイルデバイス。
［Ｃ２５］
前記ＷＷＡＮベースの測位測定値は、１つまたは複数のセルラ基地局からの到達時間、到達時間差、または受信信号強度インジケータ（ＲＳＳＩ）測定値のうちの少なくとも１つであり、前記ローカルエリアワイヤレスネットワークベースの測位測定値は、アクセスポイント、ルータ、ブリッジ、フェムトセル、Ｂｌｕｅｔｏｏｔｈ送信機、ピコセル、スモールセル、無線周波数識別（ＲＦＩＤ）、および可視光通信（ＶＬＣ）のうちの１つまたは複数からのＲＳＳＩおよびラウンドトリップ時間（ＲＴＴ）のうちの少なくとも１つである、Ｃ１７に記載のモバイルデバイス。
［Ｃ２６］
測位測定値について地上ネットワークをスキャンするためのモバイルデバイスであって、
時間整合されるように、ワイヤレスワイドエリアネットワーク（ＷＷＡＮ）ベースの測位測定値についての前記モバイルデバイスによるスキャンおよびローカルエリアワイヤレスネットワークベースの測位測定値についてのスキャンを同期させるための手段と、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、
前記ＷＷＡＮベースの測位測定値について前記モバイルデバイスを用いてスキャンするための手段と、
前記ローカルエリアワイヤレスネットワークベースの測位測定値について前記モバイルデバイスを用いてスキャンするための手段と、
時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用するための手段と
を備える、モバイルデバイス。
［Ｃ２７］
スキャンを同期させるための前記手段は、前記ＷＷＡＮベースの測位測定値についての前記スキャンおよび前記ローカルエリアワイヤレスネットワークベースの測位測定値についての前記スキャンを、互いの１００μｓ以内に生じるようにスケジューリングする、ハードウェアスケジューリング手段を備える、Ｃ２６に記載のモバイルデバイス。
［Ｃ２８］
スキャンを同期させるための前記手段は、
前記ＷＷＡＮベースの測位測定値について前記モバイルデバイスを用いて前記スキャンする第１の時間と、前記ローカルエリアワイヤレスネットワークベースの測位測定値について前記モバイルデバイスを用いて前記スキャンする第２の時間との間の時間差を決定するための手段と、
前記時間差を時間差しきい値と比較するための手段と、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用するための手段と
を備えるソフトウェアスケジューリング手段を備える、Ｃ２６に記載のモバイルデバイス。
［Ｃ２９］
測位測定値について地上ネットワークをスキャンするための非一時的なコンピュータ可読媒体であって、前記非一時的なコンピュータ可読媒体は、
時間整合されるように、ワイヤレスワイドエリアネットワーク（ＷＷＡＮ）ベースの測位測定値についてのモバイルデバイスによるスキャンおよびローカルエリアワイヤレスネットワークベースの測位測定値についてのスキャンを同期させるためのプログラムコードと、ここにおいて、前記ローカルエリアワイヤレスネットワークは、ワイヤレスローカルエリアネットワーク（ＷＬＡＮ）およびワイヤレスパーソナルエリアネットワーク（ＷＰＡＮ）を備え、セルラネットワークも衛星ネットワークも含まない、
前記ＷＷＡＮベースの測位測定値について前記モバイルデバイスを用いてスキャンするためのプログラムコードと、
前記ローカルエリアワイヤレスネットワークベースの測位測定値について前記モバイルデバイスを用いてスキャンするためのプログラムコードと、
時間整合された前記ＷＷＡＮベースの測位測定値および前記ローカルエリアワイヤレスネットワークベースの測位測定値を、クラウドソーシングのため、または前記モバイルデバイスについての位置フィックスを決定するために使用するためのプログラムコードと
を備えるプログラムコードを記憶した、非一時的なコンピュータ可読媒体。
［Ｃ３０］
スキャンを同期させるための前記プログラムコードは、
前記ＷＷＡＮベースの測位測定値について前記モバイルデバイスを用いて前記スキャンする第１の時間と、前記ローカルエリアワイヤレスネットワークベースの測位測定値について前記モバイルデバイスを用いて前記スキャンする第２の時間との間の時間差を決定するためのプログラムコードと、
前記時間差を時間差しきい値と比較するためのプログラムコードと、
前記時間差が前記時間差しきい値よりも小さいときに、クラウドソーシングのため、または前記位置フィックスを決定するために、前記ＷＷＡＮベースの測位測定値および前記ローカルエリアワイヤレスネットワークベースの測位測定値を共に使用するためのプログラムコードと
を備える、Ｃ２９に記載の非一時的なコンピュータ可読媒体。